(57)【要約】【課題】  ドキュメントの画像情報に対する複数の機能処理をページ指定して設定可能とし、利用者の手間と労力を必要とせずに一度の処理動作により利用者の所望する機能処理を実現する。【解決手段】  アプリケーションから描画データを受け取り、画像形成装置２００に転送される画像記録データを作成する画像形成制御装置１００の制御プログラムであって、外部から入力された指定情報に基づいて、画像形成装置２００に実行させる複数の機能処理ごとにページ指定を行う設定ステップを画像形成制御装置１００に実行させる制御プログラムとしてある。【選択図】    図１
2005316853.tif 000002
【特許請求の範囲】
【請求項１】
アプリケーションから描画データを受け取り、画像形成装置に転送される画像記録データを作成する画像形成制御装置の制御プログラムであって、
外部から入力された指定情報に基づいて、前記画像記録データに対応づけて前記画像形成装置に実行させる複数の機能処理ごとにページ指定を行う設定ステップを
画像形成制御装置に実行させることを特徴とする画像形成制御装置の制御プログラム。
【請求項２】
請求項１に記載の画像形成制御装置の制御プログラムにおいて、
前記設定ステップが、前記画像形成装置に対応して用意されたプリンタドライバに含まれる
ことを特徴とする画像形成制御装置の制御プログラム。
【請求項３】
入力された画像記録データを読み取り、この画像記録データに対して各種の機能処理を適用する画像形成制御装置の制御プログラムであって、
外部から入力された指定情報に基づいて、前記画像記録データに対応づけて実行する複数の機能処理ごとに、これら機能処理を実行させるページ指定を行う設定ステップと、
設定された前記ページ指定に基づいて前記画像データに対する機能処理とその処理対象となるページを解析する解析ステップと、
前記解析ステップでの解析結果に基づいて、前記画像データの処理対象であるページに前記機能処理を適用する機能処理ステップとを
画像形成制御装置に実行させることを特徴とする画像形成制御装置の制御プログラム。
【請求項４】
請求項１〜３のいずれか一項に記載の画像形成制御装置の制御プログラムにおいて、
前記ページ指定可能に前記複数の機能処理を表示手段に表示させる表示ステップを含み、
前記設定ステップでは、前記表示ステップによる表示に応じて入力された前記指定情報に基づいて各前記機能処理ごとの前記ページを指定する
ことを特徴とする画像形成制御装置の制御プログラム。
【請求項５】
請求項４に記載の画像形成制御装置の制御プログラムにおいて、
各前記機能処理は、それぞれ複数の機能項目を有し、
前記表示ステップでは、各前記機能処理を、その各機能処理に対応する前記複数の機能項目から選択可能に表示させる
ことを特徴とする画像形成制御装置の制御プログラム。
【請求項６】
請求項１〜５のいずれか一項に記載の画像形成制御装置の制御プログラムにおいて、
前記設定ステップで各前記機能処理ごとに、これら機能処理を実行させるページが指定されたとき、このページ指定以外に共通する機能設定がなされている場合に、この共通する機能設定を無効にする設定無効ステップを含む
ことを特徴とする画像形成制御装置の制御プログラム。
【請求項７】
請求項１〜６のいずれか一項に記載の画像形成制御装置の制御プログラムにおいて、
外部から入力された指定情報により指定された機能処理の中に、ページ指定のされていない機能処理が含まれる場合に、
前記設定ステップでは、このページ指定のされていない機能処理に関するページ指定を全ページに設定する
ことを特徴とする画像形成制御装置の制御プログラム。
【請求項８】
請求項１〜７のいずれか一項に記載の画像形成制御装置の制御プログラムにおいて、
前記複数の機能処理には、集約印刷機能処理，付加情報印刷機能処理，画像データ保存機能処理，カラー印刷機能処理のいずれかの機能処理が含まれる
ことを特徴とする画像形成制御装置の制御プログラム。
【請求項９】
アプリケーションから描画データを受け取り、画像形成装置に転送される画像記録データを作成する画像形成制御装置であって、
外部から入力された指定情報に基づいて、前記画像形成装置に実行させる複数の機能処理ごとにページ指定を行う設定手段と、
前記画像記録データとともに各前記機能処理ごとのページ指定を前記画像形成装置へ送信する送信手段とを備えた
ことを特徴とする画像形成制御装置。
【請求項１０】
請求項９に記載の画像形成制御装置であって、
前記画像形成装置に対応して用意されたプリンタドライバ上に、前記設定手段を含ませた
ことを特徴とする画像形成制御装置。
【請求項１１】
請求項９又は１０に記載の画像形成制御装置と接続される画像形成装置であって、
前記送信手段から送信されてきた前記画像記録データと各前記機能処理ごとのページ指定とを受信する受信手段と、
受信された前記ページ指定に基づいて前記画像記録データに対する機能処理とその処理対象となるページを解析する解析手段と、
前記解析手段による解析結果に基づいて、受信した画像記録データの処理対象であるページに前記機能処理を適用する機能処理手段とを備えた
ことを特徴とする画像形成装置。
【請求項１２】
入力された画像記録データを読み取り、この画像記録データに対して各種の機能処理を適用する画像形成制御装置であって、
外部から入力された指定情報に基づいて、実行する複数の機能処理ごとに、これら機能処理を実行させるページ指定を行う設定手段と、
設定された前記ページ指定に基づいて前記画像記録データに対する機能処理とその処理対象となるページを解析する解析手段と、
前記解析手段による解析結果に基づいて、前記画像記録データの処理対象であるページに前記機能処理を適用する機能処理手段とを備えた
ことを特徴とする画像形成制御装置。
【発明の詳細な説明】
【技術分野】
【０００１】
本発明は、画像形成制御装置の制御プログラム、画像形成制御装置および画像形成装置に関し、より詳しくは、複合機などに代表されるの画像形成装置の有する各種機能処理の中から選択した複数の機能処理ごとに、これら機能処理を実行させるページを設定し、この設定に基づく機能処理を画像形成装置に実行させる画像形成制御装置の制御プログラム、この制御プログラムを実行する画像形成制御装置、およびこの画像形成制御装置の制御を受けて動作する画像形成装置に関する。
【背景技術】
【０００２】
従来、プリンタ装置，ファクシミリ，コピー等の機能を備えた複合機（マルチファンクションペリフェラル）などの画像形成装置は、ドキュメントの印刷時に、集約印刷，付加情報印刷（ウォーターマーク等），画像形成装置に装着されているＨＤＤ等への画像データの保存，カラー印刷などの種々の機能処理を利用する場合、印刷対象となるドキュメント全体に対して処理を行っていた。
そのため、例えば、ドキュメントの一部でそれほど重要でない部分を印刷したい場合、集約印刷を実行すると、全ページが集約印刷されていた。また、重要なページに付加情報やＨＤＤ（ハードディスク）へのドキュメント情報の保存を行う場合や特定ページをカラー印刷する場合でも、全ページに対して同様の処理が行われていた。
このような従来の画像形成装置では、利用者が必要としないページに対しても集約印刷等の機能処理が適用されしてしまい、所望の印刷結果が得られなかった。
したがって、近年では、上記のような問題を解消すべく、アプリケーションによる設定により特定の処理を適用するドキュメントのページ指定を行うことで、所定のページ範囲に対して特定の機能処理を適用させる技術が提案されている（例えば、特許文献１参照。）。
【特許文献１】特開２００２−１４０１７８号公報（第１０−１１頁、第１０，１１図）
【発明の開示】
【発明が解決しようとする課題】
【０００３】
しかしながら、上述したような従来の画像形成装置では、特定の単一の機能処理を所定のページ範囲に対して適用することは可能であるが、それぞれ異なる複数の機能処理をその機能ごとにページ範囲を指定して適用させたい場合には、機能処理ごとに複数回の印刷処理等の動作処理を実行させなければならないといった問題があった。
すなわち、例えば、ドキュメントのページ数が１〜１０ページである場合に、１〜５ページは集約印刷機能を適用し、６ページは通常印刷、７〜１０ページは集約印刷機能及び付加情報印刷機能を適用するといった処理を行いたい場合には、各処理機能を別個に適用させる必要があったため、この例によれば、一度目の処理は集約印刷、二度目の処理は通常印刷、三度目の処理は付加情報印刷というように合計三回もの印刷処理を行わなければならなかった。
このため、従来の画像形成装置においては、利用者が上記のような機能処理を実行したい場合には、複数回の画像形成装置による処理動作が必要となり、無駄な労力と煩わしさが避けられないといった問題があった。
【０００４】
本発明は、以上のような問題を解決するためになされたものであり、一又は二以上のページからなるドキュメントの画像情報に対する複数の機能処理をページを指定して設定可能とし、利用者の手間と労力を必要とせずに一度の処理動作により利用者の所望する機能処理を実現させる画像形成制御装置の制御プログラム、画像形成制御装置および画像形成装置の提供を目的とする。
【課題を解決するための手段】
【０００５】
上記目的を達成するため、本発明の画像形成制御装置の制御プログラムは、アプリケーションから描画データを受け取り、画像形成装置に転送される画像記録データを作成する画像形成制御装置の制御プログラムであって、外部から入力された指定情報に基づいて、画像記録データに対応づけて画像形成装置に実行させる複数の機能処理ごとにページ指定を行う設定ステップを画像形成制御装置に実行させる画像形成制御装置の制御プログラムとしてある。
【０００６】
画像形成制御装置の制御プログラムをこのようなプログラムにすれば、例えば、制御プログラムを記憶させた記録媒体を画像形成制御装置としてのコンピュータに直接装着して当該コンピュータに読み込ませることにより、画像形成制御装置は、外部から入力された指定情報に基づいて画像形成装置に実行させる複数の機能処理ごとに、これら機能処理を実行させるページを設定することが可能となる。したがって、画像形成制御装置の有する送信手段によりこの設定情報を画像形成装置に送信することができるので、利用者はページ指定した複数の機能処理を迅速に画像形成装置に実行させ、所望の処理結果を得ることができる。
【０００７】
例えば、描画データにより表現される画像のページ数が１０ページであり、この描画データに対する複数の機能処理として、集約印刷機能とウォーターマーク（付加情報）印刷機能とを設定することができるものとする。このとき、集約印刷機能の対象として１〜４ページ，及び７〜１０ページをページ設定し、また、ウォーターマーク印刷機能の対象として７〜１０ページをページ設定した場合、これらの情報が送信手段により画像形成装置に一括して送信される。したがって、画像形成装置では、７〜１０ページに関しては集約印刷機能と同時にウォーターマーク印刷機能が実行される。
【０００８】
このため、従来、複数の機能処理をページ範囲を指定して設定した場合には、この設定した機能処理ごとに印刷処理等の機能処理を複数回行わなければならず、無駄な労力と煩わしさが避けられなかったが、本発明によればこのような事態を解消することができ、利用者の手間と労力を必要とせずに一度の処理動作により利用者の所望する処理機能を実現させることができる。
【０００９】
また、本発明の画像形成制御装置の制御プログラムは、設定ステップが、画像形成装置に対応して用意されたプリンタドライバに含まれる画像形成制御装置の制御プログラムとしてある。
【００１０】
画像形成制御装置の制御プログラムをこのようなプログラムにすれば、画像形成制御装置にプリンタドライバとしてインストールすることができるので、制御対象となる画像形成装置の有する機能処理に対応した制御プログラムをインストールすることができ、適切にページを指定した複数機能の処理を実現することができる。
【００１１】
また、本発明の画像形成制御装置の制御プログラムは、入力された画像データを読み取り、この画像データに対して各種の機能処理を適用する画像形成制御装置の制御プログラムであって、外部から入力された指定情報に基づいて、実行する複数の機能処理ごとに、これら機能処理を実行させるページ指定を行う設定ステップと、設定されたページ指定に基づいて画像データに対する機能処理とその処理対象となるページを解析する解析ステップと、解析ステップでの解析結果に基づいて、画像データの処理対象であるページに機能処理を適用する機能処理ステップとを画像形成制御装置に実行させる画像形成制御装置の制御プログラムとしてある。
【００１２】
画像形成制御装置の制御プログラムをこのようなプログラムにすれば、例えば、制御プログラムを記憶させた記録媒体をコンピュータを搭載した画像形成装置に直接装着して当該コンピュータに読み込ませることにより、画像形成装置の有する操作パネル等からの指定情報の入力に基づいて、設定ステップでは、設定された複数の機能処理、及びこれら複数の機能処理ごとに実行させるページ指定を行うことができる。そして、機能処理ステップによりこれらの設定に基づいて画像データの指定ページに対して複数の機能処理を適用することができる。
このため、画像形成装置単体であっても、利用者は、手間と労力を要することなく一度の処理動作により所望する複数の機能処理を、所望のページを指定して実行させることができる。
【００１３】
また、本発明の画像形成制御装置の制御プログラムは、ページ指定可能に複数の機能処理を表示手段に表示させる表示ステップを含み、設定ステップでは、表示ステップによる表示に応じて入力された指定情報に基づいて各機能処理ごとのページを指定する画像形成制御装置の制御プログラムとしてある。
【００１４】
画像形成制御装置の制御プログラムをこのようなプログラムにすれば、利用者は表示ステップにより表示手段に表示された情報に基づいて、設定ステップにおける各機能処理ごとのページ指定を行うことができる。
このため、複数の機能設定を行う場合であっても、表示ステップにより表示された情報を見ながら所望の機能処理に対するページ指定ができるので、利用者の利便性を向上させることができる。また、特に複数の機能処理ごとにページ指定を設定するために設定操作も煩雑になることが考えられるが、その場合にも表示手段に表示された設定内容を確認することができるため、設定ミス等も低減させることができる。
【００１５】
また、本発明の画像形成制御装置の制御プログラムは、各機能処理は、それぞれ複数の機能項目を有し、表示ステップでは、各機能処理を、その各機能処理に対応する複数の機能項目から選択可能に表示させる画像形成制御装置の制御プログラムとしてある。
【００１６】
画像形成制御装置の制御プログラムをこのようなプログラムにすれば、表示ステップでは、各機能ごとに選択できる複数の機能項目を利用者が選択できるように表示手段に表示させるため、利用者の設定操作をより一層容易にすることができる。例えば、設定する機能が集約印刷機能であるならば、複数項目として、２ｉｎ１，４ｉｎ１，８ｉｎ１，・・・といった複数の種別から選択することができる。
なお、この表示手段をタッチパネルにより構成すれば、表示されている機能項目を直接タッチパネル上から選択的にタッチすることにより設定を行うこともでき、操作性をより一層向上させることができる。
【００１７】
また、本発明の画像形成制御装置の制御プログラムは、設定ステップで各機能処理ごとに、これら機能処理を実行させるページが指定されたとき、このページ指定以外に共通する機能設定がなされている場合に、この共通する機能設定を無効にする設定無効ステップを含む画像形成制御装置の制御プログラムとしてある。
【００１８】
画像形成制御装置の制御プログラムをこのようなプログラムにすれば、設定無効ステップでは、設定ステップによる各機能処理ごとのページ設定があったとき、共通する機能処理に関する他のページ設定がされている場合に、他のページ設定を無効にするので設定ステップでのページ設定が無意味となることはない。
すなわち、この設定無効ステップでの機能設定の無効処理がなかったとしたならば、例えば、集約印刷機能が全ページ指定されている状況下で、これと機能が共通する集約印刷機能を全ページのうち一部のページ範囲に対して設定されたとしても、もともと全ページに対して集約印刷機能が設定されているため、ページ設定を行う意味がなくなってしまう。
このように、設定無効ステップを含ませたことにより、設定ステップで機能処理を行うページを設定する時点で、共通する機能設定が如何なる理由により設定されていたとしても、確実にページ設定することができ、利用者の所望する機能処理を実行させることができる。
【００１９】
また、本発明の画像形成制御装置の制御プログラムは、外部から入力された指定情報により指定された機能処理の中に、ページ指定のされていない機能処理が含まれる場合に、設定ステップでは、このページ指定のされていない機能処理に関するページ指定を全ページに設定する画像形成制御装置の制御プログラムとしてある。
【００２０】
画像形成制御装置の制御プログラムをこのようなプログラムにすれば、設定ステップでは、外部から入力された指定情報により指定された機能処理の中に、ページ指定のされていない機能処理が含まれる場合であっても、このページ指定のされていない機能処理に関するページ指定を自動的に全ページに設定する。
このため、利用者は、描画データの全ページ数を把握していなくても、所望の機能処理を全ページに対して実行させる設定を容易に行うことができ、設定の手間が省けるとともに、迅速な機能処理を実行させることができる。
【００２１】
また、本発明の画像形成制御装置の制御プログラムは、複数の機能処理には、集約印刷機能処理，付加情報印刷機能処理，画像データ保存機能処理，カラー印刷機能処理のいずれかの機能処理が含まれる画像形成制御装置の制御プログラムとしてある。
【００２２】
画像形成制御装置の制御プログラムをこのようなプログラムにすれば、設定ステップでは、複数の機能処理として、集約印刷機能処理，付加情報印刷機能処理，画像データ保存機能処理，カラー印刷機能処理のいずれかの機能処理を設定することができる。
したがって、利用者は、各種様々な機能処理を一括して実行させることが可能となり、迅速に所望の処理結果を得ることができる。
なお、複数の機能処理は、上記に記載した機能処理に限定されるものではなく、種々の機能処理を含ませることができることは言うまでもない。
【００２３】
上記目的を達成するため、本発明の画像形成制御装置は、アプリケーションから描画データを受け取り、画像形成装置に転送される画像記録データを作成する画像形成制御装置であって、外部から入力された指定情報に基づいて、画像形成装置に実行させる複数の機能処理ごとにページ指定を行う設定手段と、画像記録データとともに各機能処理ごとのページ指定を画像形成装置へ送信する送信手段とを備えた構成としてある。
【００２４】
画像形成制御装置をこのような構成にすれば、複数の機能処理ごとにこれら機能処理を実行させるページ指定を設定することができる。そして、送信手段は、画像形成対象である画像記録データとともに各機能処理ごとのページ指定を画像形成装置へ送信する。これにより、画像形成制御装置は、画像形成装置に対する一度のデータ送信により、ページ指定された複数の機能処理を実行させることができる。
このため、従来、複数の機能処理をページ範囲を指定して設定した場合には、この設定した機能処理ごとに印刷処理等の機能処理を複数回行わなければならず、無駄な労力と煩わしさが避けられなかったが、本発明によればこのような事態を解消することができ、利用者の手間と労力を必要とせずに一度の処理動作により利用者の所望する処理機能を実現させることができる。
【００２５】
また、本発明の画像形成制御装置は、画像形成装置に対応して用意されたプリンタドライバ上に、設定手段を含ませた構成としてある。
【００２６】
画像形成制御装置をこのような構成にすれば、画像形成制御装置にプリンタドライバをインストールすることにより、複数の機能処理ごとにこれら機能処理を実行させるページ指定の設定を可能にすることができる。
また、実行可能な機能処理は画像形成装置ごとに異なることが多いため、このようにプリンタドライバとともに設定手段をインストールすれば、画像形成装置に対応した適切な設定が可能とされる。
【００２７】
上記目的を達成するため、本発明の画像形成装置は、上述した画像形成制御装置のいずれかと接続される画像形成装置であって、送信手段から送信されてきた画像記録データと各機能処理ごとのページ指定とを受信する受信手段と、受信されたページ指定に基づいて画像記録データに対する機能処理とその処理対象となるページを解析する解析手段と、解析手段による解析結果に基づいて、受信した画像記録データの処理対象であるページに機能処理を適用する機能処理手段とを備えた構成としてある。
【００２８】
画像形成装置をこのような構成にすれば、画像形成制御装置により送信されてきた画像記録データと各機能処理ごとのページ指定とを受信するため、解析手段は、画像記録データに対する機能処理とその処理対象となるページを解析することができる。これにより、機能処理手段は解析結果に基づいて複数の機能処理をページ設定された所望の対象に対して一括処理することができるので、利用者は、迅速に所望の処理結果を得ることができる。
【００２９】
上記目的を達成するため、本発明の画像形成制御装置は、入力された画像データを読み取り、この画像データに対して各種の機能処理を適用する画像形成装置であって、外部から入力された指定情報に基づいて、実行する複数の機能処理ごとに、これら機能処理を実行させるページ指定を行う設定手段と、設定されたページ指定に基づいて画像データに対する機能処理とその処理対象となるページを解析する解析手段と、解析手段による解析結果に基づいて、画像データの処理対象であるページに機能処理を適用する機能処理手段とを備えた構成としてある。
【００３０】
画像形成制御装置をこのような構成にすれば、画像形成制御装置の有する操作パネル等からの指定情報の入力に基づいて設定手段により設定された複数の機能処理、及びこれら複数の機能処理ごとに実行させるページ指定を行うことができ、機能処理手段が、これらの設定に基づいて画像データの指定ページに対して複数の機能処理を適用することができる。
このため、画像形成制御装置が画像形成装置を含む構成とした場合には、この画像形成制御装置単体により、利用者は手間と労力を要することなく一度の処理動作により所望する複数の機能処理を、所望のページを指定して実行させることができる。
【発明の効果】
【００３１】
本発明によれば、複数の機能処理ごとに、これら機能処理を実行させるページを指定可能な設定ステップを画像形成制御装置の制御プログラムに含めたので、画像形成制御装置は、画像形成装置に対して画像記録データと各機能処理ごとのページ指定とを提供でき、画像形成装置は、複数の機能処理をページ設定された所望の対象に対して一括処理することができる。このため、利用者は、手間と労力を要することなく、一度の処理動作により所望の機能処理を実現することができる。
【発明を実施するための最良の形態】
【００３２】
本発明の画像形成制御装置の制御プログラム、画像形成制御装置、および画像形成装置の実施形態について説明する。なお、本第一実施形態の画像形成制御装置はプリンタドライバが動作するホストコンピュータに適用される。以下、実施形態について図面を参照して説明する。
［第一実施形態］
図１は、本第一実施形態に係る画像形成制御装置と画像形成装置を含む画像形成システムの全体構成を示したシステム構成図である。
【００３３】
図１に示すように、画像形成システム１は、ホストコンピュータ（画像形成制御装置）１００と、プリンタ装置（画像形成装置）２００とを有している。
なお、本第一実施形態および後述する実施形態においては、画像形成装置の具体例としてプリンタ装置の構成を示しているものの、本実施形態の画像形成装置はプリンタ装置に限るものではなく、例えば、コピー機，ファクシミリ，スキャナ，デジタル複合装置（マルチファンクションペリフェラル（ＭＦＰ））等を含む。
ホストコンピュータ１００は、例えば、汎用のパーソナルコンピュータなどにより構成され、入力手段１１０と、表示手段１２０と、ＨＤＤ（ハードディスクドライブ）１３０と、ＣＰＵ１４０と、ＲＯＭ１５０と、ＲＡＭ１６０と、プリンタインターフェース１７０とを含んでいる。
【００３４】
入力手段１１０は、キーボード，マウス等の入力用インターフェースにより構成され、ホストコンピュータ１００で設定される各種の指定情報を入力する。例えば、入力手段１１０は、利用者による外部からの操作に応じて、機能のページ指定を有効にするか否かの指定，実行させる機能処理の指定，その機能処理に対するページ指定等の指定情報を入力する。
【００３５】
表示手段１２０は、ＣＲＴ表示装置や液晶表示装置からなり、後述する機能情報設定プログラム１３２−２に基づいて、ページ指定可能に複数の機能処理を表示する。したがって、表示手段１２０における表示に応じて利用者は入力手段１１０から指定情報を入力することが可能となり、機能情報設定プログラム１３２−２によりその指定情報に基づく各機能処理ごとのページが設定される。
図２は、本第一実施形態に係る画像形成制御装置の表示手段により表示されるプロパティ画面を示したものである。なお、このプロパティ画面による機能処理の設定動作については後述する。
さらに、表示手段１２０により表示される各機能処理が複数の機能項目からなる場合には、表示手段１２０は、各機能処理を、その各機能処理に対応する複数の機能項目から選択可能に表示する。
【００３６】
ＨＤＤ１３０は、各種のアプリケーション１３１と、プリンタ装置２００の制御プログラムとしてのプリンタドライバ１３２とを内部に格納している。
アプリケーション１３１は、ワードプロセッサソフトウェア等の各種のアプリケーションプログラムであって、処理の実行時には、ＲＡＭ１６０の所定の領域にロードされ、ＣＰＵ１４０によって実行される。そして、アプリケーション１３１が実行されることにより、利用者は、ワードプロセッサソフトウェア等を用いて、文字や図形などの画像を作成することができる。
プリンタドライバ（画像形成制御装置の制御プログラム）１３２は、プリンタ装置２００の機種に対応して用意され、ホストコンピュータ１００の電源投入時に、ＲＡＭ１６０の所定の領域にロードされ、ＣＰＵ１４０によって実行される。このプリンタドライバ１３２は、描画データ変換プログラム１３２−１と、機能情報設定プログラム（設定手段）１３２−２とを備えている。
【００３７】
描画データ変換プログラム１３２−１は、アプリケーション１３１によって作成された描画データを受け取り、この描画データを所定の階調およびドット単位のデータに変更することにより、描画データをプリンタ装置２００に対応する所定の画像記録データに変換する。
機能情報設定プログラム１３２−２は、印刷品質，色補正，ハーフトーン種類等の印刷の基本的な設定を行うための印刷設定プログラムをはじめとし、１シートに集約させるページ数を設定する集約印刷設定プログラム、付加情報としてのウォーターマークを設定する付加情報設定プログラム、画像記録データをＨＤＤに保存するか否かを設定するデータ保存設定プログラム、トナーを節約した印刷を行うか否かを設定する印刷モード設定プログラムのいずれか一又は二以上の機能プログラムを含み、複数の機能処理を実現するための各種の情報を設定する。
【００３８】
したがって、この機能情報設定プログラム１３２−２は、複数の機能処理として、集約印刷機能処理，付加情報印刷機能処理，画像データ保存機能処理，カラー印刷機能処理のすべてを含む場合には、この複数の機能処理の中からいずれか複数の機能処理を設定することができる。
また、この機能情報設定プログラム１３２−２は、入力手段１１０により入力された指定情報に基づいてプリンタ装置２００に実行させる複数の機能処理ごとに、これら機能処理を実行させるページを設定する。
【００３９】
したがって、プリンタドライバ１３２は、機能情報設定プログラム１３２−２の処理により設定された印刷に関する各種の機能処理のページ設定を受け取ると、ＣＰＵ１４０により各種の設定プログラムを実行させて、描画データ変換プログラム１３２−１により変換された画像記録データにページ指定を対応付けて出力データを生成する。
【００４０】
ＣＰＵ１４０は、ホストコンピュータ１００内の各構成要素を制御する装置であり、ＲＯＭ１５０は、ホストコンピュータ１００内の各コントローラを制御するプログラムおよびプログラムの中で用いられるデータを格納する装置である。
さらに、ＲＡＭ１６０は、ＨＤＤ１３０に格納されたアプリケーション１３１，プリンタドライバ１３２がそれぞれＨＤＤコントローラ（図示せず）を介してロードされ、これらのソフトウェアを一時的に保存することにより、ＣＰＵ１４０によるソフトウェアの実行を可能にしている。
【００４１】
プリンタインターフェース（送信手段）１７０は、プリンタドライバ１３２とプリンタ装置２００との接続を確立するインターフェースであり、このプリンタインターフェース１７０によって、プリンタドライバ１３２からの出力データをプリンタ装置２００に送信する。
このような印刷処理において、本第一実施形態では、１つの印刷ジョブにおいて、複数の記録媒体としての印刷用紙に、種類の異なる複数の機能処理を、その複数の機能処理ごとにページを指定して印刷できるように構成されている。
【００４２】
プリンタ装置（画像形成装置）２００は、ホストコンピュータ１００とネットワーク等を介して接続されており、ホストコンピュータ１００から送信された画像記録データに基づく画像を形成し、印刷処理を適用する。また、本第一実施形態におけるプリンタ装置２００は、ネットワークインターフェース（受信手段）２１０と、制御手段２２０と、エンジン部２３０とを有している。
ネットワークインターフェース２１０は、ネットワークと物理的に接続されており、ホストコンピュータ１００との間でデータを送受信するインターフェースである。したがって、ネットワークインターフェース２１０は、プリンタインターフェース１７０から送信されてきた出力データを受信する。
【００４３】
制御手段２２０は、プリンタ装置の機能を統括制御する装置であり、ＣＰＵ及びメモリにより構成され、データ解析部（解析手段）２２１と、機能処理実行部（機能処理手段）２２２とを有している。
データ解析部２２１は、ネットワークインターフェース２１０が受信したホストコンピュータ１００からの出力データに基づいて画像記録データに対する機能処理とその処理対象となるページを解析する。
機能処理実行部２２２は、データ解析部２２１による解析結果に基づいて、ネットワークインターフェース２１０により受信した画像記録データの処理対象であるページに機能処理を適用する。
これにより、プリンタ装置２００では、各種機能処理が施されるとともに、利用者の所望する印刷処理を実行させることができる。
【００４４】
以下に、本第一実施形態に係るホストコンピュータ１００における機能処理の設定動作について、図２を参照しながら説明する。
図２ａ〜図２ｅは本第一実施形態に係る画像形成制御装置の表示手段に表示されるプロパティ画面の一例である。
まず、ホストコンピュータ１００のアプリケーション１３１を利用して、画像記録データを作成した後、例えば、図２ａに示すような印刷プロパティ画面を表示手段１２０に表示させ、画像記録データに適用する各種の機能処理を設定する。このプロパティ画面は、例えば、「基本設定」ダイアログ，「レイアウト」ダイアログ，「イメージ」ダイアログ，「ウォーターマーク」ダイアログ，「排紙」ダイアログ，「機能のページ指定」ダイアログ，「バージョン情報」ダイアログなど、複数のダイアログ２−１を備えており、任意のダイアログ画面をクリックして選択することにより、そのダイアログ画面を表示させて、各種設定を行うことができる。なお、図２ａ〜図２ｅにおいては、「機能のページ指定」ダイアログが選択表示されている。
【００４５】
この「機能のページ指定ダイアログ」の画面上では「機能のページ指定を有効にする」ためのチェックボックス２−２が表示されており、このチェックボックス２−２をチェックすることにより、複数の機能処理に対するページ指定を有効にすることができる。したがって、このチェックボックス２−２にチェックがされていなければ、たとえ以下に説明する各機能処理ごとのページ指定がされていたとしても、その指定は有効とされない。
次に、各機能処理ごとのページ指定を行う場合には、その機能処理別のページ指定を有効にするためのチェックボックス２−３にチェックを入れる。
図２ｂは、機能処理として集約印刷機能を適用するページを指定する設定状態を示した例であり、集約印刷のページ指定を有効にするために「１シートのページ数」に対応するチェックボックス２−３がチェックされている。
【００４６】
次いで、この集約印刷機能において１シートに収めるページ数をプルダウンメニューにより表示される機能項目メニュー２−４から選択的に指定する。なお、図２（ｂ）の例によれば、１ページに集約できるページ数としては「２」，「４」，「６」，「９」，「１２」，「１６」，「２５」の機能項目から選択可能とされている。さらに、この集約印刷機能を適用するページ指定をページ指定記入欄２−５に数値記載することにより指定する。なお、ここでは、１〜５，７〜１０ページに対して集約印刷機能を適用する指定がなされている。
以下同様にして、各機能処理に対してページ指定を行う一例を図２ｃ〜図２ｅに示す。
【００４７】
図２ｃでは、機能処理としてウォーターマーク印刷機能（付加情報印刷機能）を適用するページを指定する設定状態を示した例であり、ウォーターマーク種別として、「社外秘」，「複写禁止」，「サンプル」，「コピー」の機能項目が選択可能とされている。なお、ここでは、７〜１０ページに対してウォーターマーク印刷機能を適用する指定がなされている。
図２ｄでは、機能処理としてＨＤＤ保存機能（画像データ保存機能）を適用するページを指定する設定状態を示した例であり、保存種別として、「印刷して保存」，「印刷せずに保存」の機能項目が選択可能とされている。なお、ここでは、１２〜１４ページに対して印刷して保存するＨＤＤ保存機能を適用する指定がなされている。
図２ｅでは、機能処理としてカラー印刷機能を適用するページを指定する設定状態を示した例であり、カラー印刷種別として、「通常印刷モード」，「トナー節約モード」の機能項目が選択可能とされている。なお、ここでは、１２〜１４ページに対して印刷して保存するＨＤＤ保存機能を適用する指定がなされている。
【００４８】
以上のように表示手段に表示されたプロパティ画面により複数種別の機能処理と、その機能処理ごとに処理を適用するページ指定を入力することにより、機能情報設定プログラム１１２―２は、その入力された情報に基づいて各種機能処理ごとのページを設定することができる。
【００４９】
次に、本第一実施形態に係るホストコンピュータ内で生成された画像データがプリンタ装置へ送信されるまでの処理動作について図３を参照して説明する。
図３は、本第一実施形態に係る画像形成システムのホストコンピュータにおける動作を示したフローチャートである。
図３において、ＣＰＵ１４０は、アプリケーション１３１を実行させ、このアプリケーション１３１により作成された描画データをプリンタドライバ１３２へ出力する（ステップＳ３０１）。すなわち、アプリケーション１３１は、ワードプロセッサソフトウェア等をＣＰＵ１４０により実行させることにより作成された描画データをプリンタドライバ１３２へ出力する。
そして、ＣＰＵ１４０は、プリンタドライバ１３２内の描画データ変換プログラム１３２−１を実行し、アプリケーション１３１から受け取った描画データを、所定のプリンタ装置で印刷可能な画像記録データへ変換する（ステップＳ３０２）。
【００５０】
次いで、ＣＰＵ１４０は、プリンタドライバ１３２内の機能情報設定プログラム１３２−２を実行し、表示手段１２０に各種機能処理に対するページ指定を設定可能なプロパティ画面を表示させる（ステップＳ３０３（表示ステップ））。
そして、機能情報設定プログラム１３２−２は、この表示に応じて外部から入力された指定情報に基づいて、実行する複数の機能処理ごとに、その機能処理を実行させるページ設定を行う（ステップＳ３０４（設定ステップ））。
次いで、ＣＰＵ１４０は、画像記録データに設定された機能処理とそのページ設定を付加した出力データを生成する（ステップＳ３０５）。
プリンタインターフェース１７０は、ステップＳ３０５で生成された出力データをプリンタ装置２００へ送信する（ステップＳ３０６）。
【００５１】
次に、本第一実施形態に係るプリンタ装置におけるホストコンピュータから受け取った画像記録データの処理動作について図４を用いて説明する。
図４は、本第一実施形態に係る画像形成システムのプリンタ装置における動作を示したフローチャートである。
図４において、ネットワークインターフェース２１０は、ホストコンピュータ１００からの出力データを受け取ると、これを制御手段２２０内のデータ解析部２２０へ出力する（ステップＳ４０１）。
データ解析部２２１は、出力データに基づいて設定されている機能処理内容を解析する（ステップＳ４０２）。
次いで、ステップＳ４０２で解析された各機能処理ごとに指定されているページを出力データに基づいて解析し（ステップＳ４０３）、機能のページ指定が有効であるか否かを判断する（ステップＳ４０４）。
【００５２】
ステップＳ４０４の判断の結果、機能のページ指定が有効になっていると判断された場合には、機能処理実行部２２２が、解析された機能処理を、その指定されたページの画像記録データに対して実行する（ステップＳ４０５）。
ステップＳ４０５で、各種機能処理を画像記録データに施した後に、制御手段２２０は画像処理部（図示せず）により画像記録データに基づく出力画像データを生成する（ステップＳ４０６）。
次いで、エンジン部２３０は、制御手段２２０からの制御を受けて、生成された出力画像を印刷用紙に印字する（ステップＳ４０７）。
一方、ステップＳ４０４の判断の結果、機能のページ指定が有効になっていないと判断された場合には、ステップＳ４０７へ進み、機能処理を適用せずに出力画像データを生成する（ステップＳ４０７）。
【００５３】
以上のように、本第一実施形態に係る画像形成制御装置としてのホストコンピュータ１００は、プリンタドライバ１３２に含まれる機能情報設定プログラム１３２−２によりプリンタ装置２００に実行させる複数の機能処理と、この複数の機能処理ごとにこれら機能処理を実行させるページを設定することができる。そして、プリンタインターフェース１７０は、画像形成対象である画像記録データとともに各機能処理ごとのページ設定をプリンタ装置２００へ送信する。これにより、ホストコンピュータ１００は、プリンタ装置２００に対する一度のデータ送信により、ページ指定された複数の機能処理を実行させることができる。
【００５４】
［第二実施形態］
次に、本発明の第二実施形態に係る画像形成装置について説明する。
図５は、本発明の第二実施形態に係る画像形成装置の全体構成図である。
なお、本第二実施形態に係る画像形成装置は、上記第一実施形態で説明した画像形成システムにおけるプリンタ装置２００とは異なり、画像形成装置としてのプリンタ装置３００単体によって複数の機能処理に対するページ指定を可能としたものである。そして、画像形成装置単体において、本発明の制御プログラムを実施するものであり、請求項１２に記載の画像形成制御装置に相当する。
図５に示すように、プリンタ装置３００は、画像読取手段３１０と、入力手段３２０と、表示手段３３０と、ＨＤＤ３４０と、ＣＰＵ３５０と、ＲＯＭ３６０と、ＲＡＭ３７０と、エンジン部３８０とを有している。
【００５５】
画像読取手段３１０は、例えば、スキャナ等で構成されており、原稿から画像記録データを読み取ると、この画像記録データをＣＰＵ３５０内の画像処理部（図示せず）および機能処理実行部３５２へ出力する。
入力手段３２０は、プリンタ装置３００で行われる印刷処理の各種設定を行う。例えば、入力手段３２０は、利用者による外部からの操作に応じて実行する複数の機能処理ごとに、これら機能処理を実行させるページ設定を入力する。
【００５６】
表示手段３３０は、例えば、ＣＲＴ表示装置や液晶表示装置等で構成されており、ＣＰＵ３５０から送られてきた情報データを画面表示している。
画面表示されるデータの例としては、例えば、上記第一実施形態においてホストコンピュータ１００の表示手段において表示されるプロパティ画面（図２参照）等がある。
【００５７】
ＨＤＤ３４０は、各種のアプリケーション３４１と、プリンタ制御プログラム（画像形成制御装置の制御プログラム）３４２とを内部に格納している。
このアプリケーション３４１は、画像読取プログラム等の各種のアプリケーションプログラムであって、処理の実行時には、ＲＡＭ３６０の所定の領域にロードされ、ＣＰＵ３５０によって実行される。そして、アプリケーション３４１が実行されることにより、原稿の画像記録データが読み取られ、ＣＰＵ３５０内の画像処理部（図示せず）へ入力される。
プリンタ制御プログラム３４２は、プリンタ装置３００の電源投入時に、ＲＡＭ３７０の所定の領域にロードされ、ＣＰＵ３５０によって実行される。このプリンタ制御プログラム３４２は、描画データ変換プログラム３４２−１と、機能情報設定プログラム（設定手段）３１２−２とを備えている。
なお、この描画データ変換プログラム３４２−１と、機能情報設定プログラム３４２−２のプログラム内容は、上記第一実施形態のホストコンピュータ１００内の描画データ変換プログラム３４２−１と、機能情報設定プログラム３４２−２と共通するため、その説明は省略する。
ＣＰＵ３５０は、プリンタ装置３００の機能を統括制御する装置であり、データ解析部（解析手段）３５１と、機能処理実行部（機能処理手段）３５２とを備えている。
データ解析部３５１は、入力手段３２０により設定入力されたページ設定に基づいて画像記録データに対する機能処理とその処理対象となるページを解析し、この解析した情報を機能処理実行部３５２へ出力する。
機能処理実行部３５２は、データ解析部３５１により解析され情報に基づいて、画像記録データの設定されたページに対して複数の機能処理を適用する。
【００５８】
ＲＯＭ３６０は、プリンタ装置３００内の各コントローラを制御するプログラムおよびプログラムの中で用いられるデータを格納する装置であり、ＲＡＭ３７０は、ＨＤＤ３４０に格納されたアプリケーション３４１，プリンタ制御プログラム３４２がそれぞれＨＤＤコントローラ（図示せず）を介してロードされ、これらのソフトウェアを一時的に保存することにより、ＣＰＵ３５０によるソフトウェアの実行を可能にしている。
エンジン部３８０は、ＣＰＵ３５０内の図示しない画像処理部により機能処理された画像記録データが出力画像データに変換されると、これを受け取り出力画像データに基づく印刷処理を適用する装置である。
【００５９】
次に、本第二実施形態に係るプリンタ装置の動作について図６を用いて説明する。
図６は、本第二実施形態に係るプリンタ装置における動作を示したフローチャートである。
図６において、はじめに、図示しない原稿給紙段に載置された原稿をプリンタ装置３００内に取り込んで、画像記録データを読み取る（ステップＳ６０１）。
ＣＰＵ３５０は、機能情報設定プログラム３４２−２を実行させて、表示手段に各種機能処理に対するページ指定を設定可能なプロパティ画面を表示させる（ステップＳ６０２（表示ステップ））。
そして、機能情報設定プログラム３４２−２は、この表示に応じて入力手段３２０により入力された情報に基づいて、実行する複数の機能処理ごとに、その機能処理を実行させるページ設定を行う（ステップＳ６０３（設定ステップ））。
【００６０】
その後、ＣＰＵ３５０のデータ解析部３５１は、設定されたページに基づいて画像記録データに対する機能処理とその処理対象となるページを解析し（ステップＳ６０４（解析ステップ））、機能のページ指定が有効であるか否かを判断する（ステップＳ６０５）。
ステップＳ６０５の判断の結果、機能のページ指定が有効になっていると判断された場合には、機能処理実行部３５２は、解析された機能処理を、その指定されたページの画像記録データに対して適用する（ステップＳ６０６（機能処理ステップ））。
ステップＳ６０６で機能処理を適用された画像記録データは、図示しない画像処理部によりエンジン部３８０で処理可能な出力画像データに変換される（ステップＳ６０７）。
そして、エンジン部３８０は、画像処理部で得られた出力画像データに基づいて印刷用紙に印字処理を適用する（ステップＳ６０８）。
一方、ステップＳ６０５の判断の結果、機能のページ指定が有効になっていないと判断された場合には、ステップＳ６０７へ進み、機能処理を施さずに出力画像データを生成する（ステップＳ６０７）。
【００６１】
以上のように、本第二実施形態に係るプリンタ装置によれば、プリンタ装置３００の有する操作パネル等の入力手段３２０からの操作に基づいて機能情報設定プログラム３４２−２により設定された複数の機能処理、及びこれら複数の機能処理ごとに実行させるページ設定を行うことができ、機能処理実行部３５２が、これらの設定に基づいて画像記録データの指定ページに対して複数の機能処理を適用することができる。
このため、プリンタ装置３００単体であっても、利用者の手間と労力を必要とせずに一度の処理動作により利用者の所望する処理機能を実現させることができる。
【００６２】
以上、本発明の画像形成制御装置、画像形成装置、および画像形成制御装置の制御プログラムについて、好ましい実施形態を示して説明したが、本発明に係る画像形成制御装置等は、上述した実施形態にのみ限定されるものではなく、本発明の範囲で種々の変更実施が可能であることは言うまでもない。
【００６３】
例えば、上記第一実施形態に係る画像形成制御装置としてのホストコンピュータ１００は、ただ単に複数の機能処理ごとにページを指定していたが、このページ指定により機能処理を設定する以前にどのような機能処理の設定がなされているかは考慮していない。
そこで、機能情報設定プログラム１３２−２により各機能処理ごとに、これら機能処理を実行させるページが設定されたとき、このページ設定以外に共通する機能設定がなされている場合に、この共通する機能設定を無効にする設定無効手段（図示せず）を備え、プリンタインターフェース１７０が、無効にされた機能設定にかかわりなく、画像記録データとともに各機能処理ごとのページ設定をプリンタ装置２００へ送信する構成とすることにより、機能情報設定プログラム１３２−２によるページ設定が無意味となることはない。
【００６４】
すなわち、この設定無効手段による機能設定の無効処理がなかったとしたならば、例えば、集約印刷機能が全ページ指定されている状況下で、これと機能が共通する集約印刷機能を全ページのうち一部のページ範囲に対して設定されたとしても、もともと全ページに対して集約印刷機能が設定されているため、ページ設定を行ったことの意味がなくなってしまうが、設定無効手段を備えたことにより、共通する機能設定が設定されていたとしても、確実にページ設定することができ、利用者の所望する機能処理を実行させることができる。
なお、この設定無効手段は、画像形成制御装置の制御プログラムに設定無効ステップとして含ませることも可能である。
【００６５】
さらに、上記第二実施形態に係る画像形成制御装置としてのプリンタ装置３００においても、ただ単に複数の機能処理ごとにページを指定していたが、このページ指定により機能処理を設定する以前にどのような機能処理の設定がなされているかは考慮していない。
このため、上記と同様にして、機能情報設定プログラム３４２−２により各機能処理ごとに、これら機能処理を実行させるページが設定されたとき、このページ設定以外に共通する機能設定がなされている場合に、この共通する機能設定を無効にする設定無効手段（図示せず）を備える構成とすることにより、機能情報設定プログラム３４２−２によるページ設定が無意味となることはない。
なお、この設定無効手段は、画像形成制御装置の制御プログラムに設定無効ステップとして含ませることも可能である。
【００６６】
また、例えば、上記第一実施形態に係る画像形成制御装置としてのホストコンピュータ１００、或いは、上記第二実施形態に係る画像形成装置としてのプリンタ装置３００は、図２に示したように複数の機能処理の全てに関してページ指定されているものとして説明をしてきたが、これに限るものではなく、ページ指定されていない機能処理があっても良い。
そこで、機能情報設定プログラム１３２−２（又は３４２−２）が、プリンタ装置２００（又は３００）に実行させる複数の機能処理ごとに、これら機能処理を実行させるページを設定するための外部からの情報の入力がない場合には、これら機能処理を実行させるページを一律に全ページをする構成とすることにより、全ページ指定により機能処理を実行させたい場合には、ページ範囲を設定する手間が省け、迅速に機能処理を行うことができる。
【００６７】
また、上記第一又は第二実施形態とは異なる構成として、情報処理装置（画像形成制御装置）４００が画像形成手段３９０を含む構成としても複数の機能処理に対するページ指定を可能とすることができる。具体的な情報処理装置４００としては、例えば、汎用のパーソナルコンピュータにプリンタ機能を搭載させたモデル等が考えられる。図７は、この情報処理装置４００の全体構成図である。なお、上述した実施形態と同一相当部分には同一符号を付し、その説明を省略する。
このような構成を有する情報処理装置４００において、情報処理装置４００の制御プログラムとして、外部入力された指定情報に基づいて画像記録データに対応づけて実行する複数の機能処理ごとに、これら機能処理を実行させるページ指定を行う設定ステップと、設定されたページ指定に基づいて画像データに対する機能処理とその処理対象となるページを解析する解析ステップと、解析ステップでの解析結果に基づいて、画像データの処理対象であるページに機能処理を適用する機能処理ステップとを実行させることにより、上述した第一及び第二実施形態と同様の効果を奏することができる。
【産業上の利用可能性】
【００６８】
プリンタ装置等の画像形成装置を含む画像形成システム、或いは、画像形成装置単体において、複数の機能処理をページ指定して設定する場合に好適に利用することができる。
【図面の簡単な説明】
【００６９】
【図１】本発明の第一実施形態に係る画像形成制御装置と画像形成装置を含む画像形成システムの全体構成を示したシステム構成図である。
【図２ａ】本発明の第一実施形態に係るホストコンピュータの表示手段におけるプロパティ画面の一例である。
【図２ｂ】図２ａに示すプロパティ画面において、１シートに収めるページ数をプルダウンメニューにより表示した画面である。
【図２ｃ】図２ａに示すプロパティ画面において、ウォーターマークによる印字内容をプルダウンメニューにより表示した画面である。
【図２ｄ】図２ａに示すプロパティ画面において、ＨＤＤ保存内容をプルダウンメニューにより表示した画面である。
【図２ｅ】図２ａに示すプロパティ画面において、カラー印刷内容をプルダウンメニューにより表示した画面である。
【図３】本発明の第一実施形態に係る画像形成システムのホストコンピュータにおける動作を示したフローチャートである。
【図４】本発明の第一実施形態に係る画像形成システムのプリンタ装置における動作を示したフローチャートである。
【図５】本発明の第二実施形態に係る画像形成装置の全体構成図である。
【図６】本発明の第二実施形態に係るプリンタ装置における動作を示したフローチャートである。
【図７】本発明の画像形成制御装置としての情報処理装置の全体構成図である。
【符号の説明】
【００７０】
１  画像形成システム
２−１  ダイアログ
２−２  チェックボックス
２−３  チェックボックス
２−４  機能種別メニュー
２−５  ページ指定記入欄
１００  ホストコンピュータ（画像形成制御装置）
１１０  入力手段
１２０  表示手段
１３０  ＨＤＤ
１３１  アプリケーション
１３２  プリンタドライバ
１３２−１  描画データ変換プログラム
１３２−２  機能情報設定プログラム（設定手段）
１４０  ＣＰＵ
１５０  ＲＯＭ
１６０  ＲＡＭ
１７０  プリンタインターフェース（送信手段）
２００  プリンタ装置（画像形成装置）
２１０  ネットワークインターフェース（受信手段）
２２０  制御手段
２２１  データ解析部（解析手段）
２２２  機能処理実行部（機能処理手段）
２３０  エンジン部
３００  プリンタ装置（画像形成装置）
３１０  画像読取手段
３２０  入力手段
３３０  表示手段
３４０  ＨＤＤ
３４１  アプリケーション
３４２  制御プログラム
３４２−１  描画データ変換プログラム
３４２−２  機能情報設定プログラム（設定手段）
３５０  ＣＰＵ
３５１  データ解析部（解析手段）
３５２  機能処理実行部（機能処理手段）
３６０  ＲＯＭ
３７０  ＲＡＭ
３８０  エンジン部
３９０  画像形成手段
４００  情報処理装置（画像形成制御装置）
【図１】
2005316853.tif 000003
【図２ａ】
2005316853.tif 000004
【図２ｂ】
2005316853.tif 000005
【図２ｃ】
2005316853.tif 000006
【図２ｄ】
2005316853.tif 000007
【図２ｅ】
2005316853.tif 000008
【図３】
2005316853.tif 000009
【図４】
2005316853.tif 000010
【図５】
2005316853.tif 000011
【図６】
2005316853.tif 000012
【図７】
2005316853.tif 000013